(57)【要約】本発明は、時分割変調を使用したビデオ画像のデジタル表示用装置に関するものである。前記装置は、少なくとも２つの別個の同一時間セグメント内に分配された複数の連続的なサブフィールドを有するビデオフレームの間に、ビデオ画像を表示することを目的とする。本発明によると、ビデオ画像の画素は、は、各時間セグメントの間に多くとも一度だけ状態を変化させ、表示されるビデオ画像は、サブフィールド毎に、状態を変化させる画素を特定する情報の形式で前記画像メモリに格納される。
2005521105.tif 000002
【特許請求の範囲】
【請求項１】
少なくとも２つの別個の同一時間セグメント内に分配された複数の連続的なサブフィールドを有するビデオフレームの間に、ビデオ画像を表示する役割をするデジタル表示装置であって、
ビデオ画像の各画素は、前記ビデオフレームの各サブフィールドの間にオン状態又はオフ状態を選択的にとることができ、前記装置は、
-前記ビデオ画像の画素を表示するための基本セルのマトリクス(14)と、
-前記基本セルのマトリクスによるその表示の前に、前記ビデオ画像を格納するための画像メモリ(12)とを有し、
前記ビデオ画像の画素は、各時間セグメントの間に多くとも一度だけ状態を変化させ、表示されるビデオ画像は、サブフィールド毎に、状態を変化させる画素を特定する情報の形式で前記画像メモリに格納されることを特徴とするデジタル表示装置。
【請求項２】
請求項１に記載の装置であって、
前記ビデオフレームの前記少なくとも２つの時間セグメントが同一であり、同じ数のサブフィールドを有することを特徴とする装置。
【請求項３】
請求項１又は２に記載の装置であって、
前記ビデオフレームがN個のサブフィールドを有する場合に、前記画像メモリ(12)がN個のメモリ領域(Zi)を有しており、それぞれがサブフィールドに関連し、前記関連するサブフィールドの間に状態を変化させるビデオ画像の画素の座標を格納することを特徴とする装置。
【請求項４】
請求項２に記載の装置であって、
各時間セグメントが同位に構成されたP個のサブフィールドを有する場合、且つ前記ビデオ画像の各画素が前記少なくとも２つの時間セグメントにおける同位のサブフィールドの間に状態を変化させる場合、前記画像メモリ(12)がP個のメモリ領域(Zi)を有しており、それぞれが前記P個のサブフィールドのうちの１つに関連し、前記関連するサブフィールドの間に状態を変化させるビデオ画像の画素の座標を格納し、次に前記画像メモリの各メモリ領域が前記ビデオ画像を表示するために時間セグメント毎に１度だけ読み取られることを特徴とする装置。
【請求項５】
請求項３又は４に記載の装置であって、
前記画像メモリに格納された情報から、サブフィールド毎にバイナリプレーンを生成するための手段(21)を有することを特徴とする装置。
【請求項６】
請求項３ないし５のうちのいずれか１項に記載の装置であって、
前記ビデオフレームの間に状態を変化させるビデオ画像の画素の座標を決定し、前記画素が状態を変化させるサブフィールドを参照する前記メモリ領域内のアドレスをそれに追加するための手段(20)を有することを特徴とする装置。
【請求項７】
請求項６に記載の装置であって、
前記ビデオ画像の画素のビデオレベル毎に、前記ビデオ画像におけるその発生の数を計算するための手段(30)を有し、前記画素の座標に追加されるアドレスを決定するために、前記発生の数がメモリアドレス及び画素の座標の生成手段(20)に供給されることを特徴とする装置。
【請求項８】
請求項３ないし７のうちのいずれか１項に記載の装置であって、
前記ビデオ画像の画素が、前記ビデオ画像において行と列で構成され、
前記画像メモリに格納される画素の座標が、画素毎に行の座標と列の座標で構成されることを特徴とする装置。
【請求項９】
請求項３ないし７のうちのいずれか１項に記載の装置であって、
前記ビデオ画像の画素が、前記ビデオ画像において行と列で構成され、
前記画像メモリの各領域が、前記画像の同一の行に属し、前記関連するサブフィールドの間に状態を変化させる全ての画素について、共通の行の座標を入れ、前記画素のそれぞれについて、列の座標を入れることを特徴とする装置。
【発明の詳細な説明】
【技術分野】
【０００１】
本発明は、画面に階調を表示するために時分割変調を使用したビデオ画像のデジタル表示用装置に関するものである。本発明は、特に映写及び背面映写装置、テレビ又はモニタに適用される。
【背景技術】
【０００２】
表示装置の中で、デジタル表示装置は、有限数の照度値をとることができる１つ以上のセルを有する装置である。現在、この有限数の値は２に等しく、セルのオン状態とオフ状態に対応する。より多数の階調を得るために、その状態の変化から生じる光のパルスを結合することにより人間の目が中間の階調を検出することができるように、ビデオフレームでセルの状態を時間的に変調することが知られている。
【０００３】
既知のデジタル表示装置の中で、デジタル・マイクロミラー・マトリクス(digital  micromirror  matrix)又はDMDマトリクス(DMDはデジタル・マイクロミラー装置(digital  micromirror  device)を表す)を有するものが存在する。DMDマトリクスは、従来はビデオ映写用に使用される構成要素であるり、数千もの微細なミラー又はマイクロミラーを実装したチップを形成する。その数千もの微細なミラー又はマイクロミラーは、デジタルデータに基づいて制御され、外部供給源から発する光を反射又は遮断するような方法で回転することにより、画面上に画像を映写する役割をする。そのようなマイクロミラー・マトリクス(micromirror  matrix)の使用に基づいた、光のデジタル処理に存する技術は、“デジタル・ライト・プロセッシング”又はDLPとして知られている。
【０００４】
本発明は、デジタル・マイクロミラー・マトリクス(digital  micromirror  matrix)を有するデジタル表示装置のフレームワーク内で更に具体的に説明され、この種類の装置に本発明の範囲を限定することを全く示すものではない。本発明は、例えばLCOS形式のデジタル装置にも適用され得る。
【０００５】
表示される画素毎に１つのマイクロミラーが提供される。マイクロミラーは静止状態の一面について２つの動作状態(すなわち、活動状態と非活動状態)を示す。活動状態では、マイクロミラーはその静止状態に関して数度(約10度)だけ傾き、それにより外部供給源から発する光が映写レンズを通して画面に映写される。非活動状態では、マイクロミラーは反対方向に数度だけ傾き、それにより外部供給源から発する光が光吸収装置に向けられる。活動(非活動)状態のセルは、オン(オフ)状態の画像の画素に対応する。従って、画素の照明期間は、関連するマイクロミラーが活動状態にある期間に対応する。
【０００６】
従って、マイクロミラー・マトリクス(micromirror  matrix)に供給される光が白色光である場合、活動状態のマイクロミラーに対応する画素は白色であり、非活動状態のマイクロミラーに対応するものは黒色である。中間の階調は、PWM変調(PWMはパルス幅変調を表す)に対応する画面上に映写される光の時分割変調により得られる。具体的には、各マイクロミラーは毎秒数千回をも状態を変化させることが可能である。人間の目はその状態の変化とそこから生じる光パルスを検出しないが、その間のパルスを結合し、それ故に平均の光レベルを認知する。従って、人間の目により検出される階調は、マイクロミラーがビデオフレームの間に活動状態にある時間に直接的に比例する。
【０００７】
256個の階調を得るために、ビデオフレームは例えば異なる重みの8個の連続的なサブ期間に分割される。そのサブ期間は一般的にサブフィールドと呼ばれる。各サブフィールドの間に、マイクロミラーは活動状態又は非活動状態のいずれかである。各サブフィールドの重みはその持続時間に比例する。図１は、ビデオフレーム内のサブフィールドの例示的な配分を示したものである。ビデオフレームの持続時間は、国に応じて16.6ms又は20msである。例として提供されたビデオフレームは、それぞれ1と2と4と8と16と32と64と128の重みの8個のサブフィールドを有する。画素の照明期間は、関連するマイクロミラーが活動状態にあるサブフィールドに対応する。人間の目は画素の照明期間を結合し、ビデオフレームの間の照明期間の全体の持続時間に比例した階調を検出する。
【０００８】
更に、全てのビデオ装置において、カラー画像の表示は３つの画像(赤と青と緑)の表示を必要とする。単一のDMDマトリクスを備えたプロジェクタでは、この３つの画像は連続して表示される。そのようなプロジェクタは、例えば赤と緑と青のフィルタを有する回転ホイールを有し、それを通じてプロジェクタの供給源から発する白色光がDMDマトリクスに伝達される前にフィルタリングされる。従って、DMDマトリクスは、ビデオフレームの間に赤と緑と青の光を連続的に供給される。回転ホイールは、例えば6個のフィルタ(2個の赤と2個の緑と2個の青)を有し、150回転/秒(すなわち、ビデオフレーム毎に3回転)の周波数で回転する。ビデオ画像のRとGとBの成分のデジタルデータは、赤と緑と青の光で同期するような方法でDMDマトリクスに供給され、それにより画像のRとGとBの成分が適切な光で表示される。従って、図２に示される通り、ビデオフレームは18個(色毎に6個)の時間セグメントに刻まれ得る。20msのビデオフレームの場合、各セグメントの持続時間は約1.1msである。図１に示されるサブフィールドは、各色の6個の時間セグメントに色毎に分配される。各サブフィールドは、例えば6個の基本期間に刻まれ、それぞれが特定の時間セグメントに関係する。
【発明の開示】
【発明が解決しようとする課題】
【０００９】
このデジタル表示装置は、照明期間の時間的結合に関する問題を示す。特に物体が２つの連続する画像の間を移動するときに、輪郭の問題が表れる。当業者に周知のこの問題は、通常はほとんど感知できない階調変化における暗帯又は明帯の出現により明らかになる。
【００１０】
この輪郭の影響を制限するため、2002年3月7日に出願されたフランス特許出願第02/03141号に記載されているような、いわゆる階調の増分符号化を使用することが可能である。
【００１１】
この符号化によると、デジタル表示装置のセルは、ビデオフレームの各セグメントの間に多くとも一度だけ状態(オン又はオフ)を変化させる。DMDマトリクスの場合、このことは、DMDマトリクスのマイクロミラーがビデオフレームの各セグメントの間に多くとも一度だけ状態を変化させることを意味する。従って、マイクロミラーがセグメントの開始時に活動状態にあり、そのセグメントの間に非活動状態に切り替わると、セグメントの終わりまでその状態に留まる。更に正確には、DMDマトリクスのマイクロミラーが時間セグメントの開始時に活動状態にあり、その時間セグメントのサブフィールドの開始時に非活動状態に切り替わると、時間セグメントの残りのサブフィールドの間にその状態に留まる。
【００１２】
この符号化の主な利点は、それがセグメントに“タイム・ホール(time  hole)”を全く作らず、そのホールは時間的結合の間の障害の生成になる。タイム・ホール(time  hole)は、２つのオフのサブフィールド(画素がゼロの階調を示すサブフィールド)の間の“オン”のサブフィールド(画素がゼロでない階調を示すサブフィールド)、又はその逆を示す。
【００１３】
しかし、この符号化は、限られた数の可能な階調のみの表示を可能にする。すなわち、N個のサブフィールドからなるセグメントの場合、それは最大N+1個の階調の値の表示を可能にする。しかし、当業者に周知のディザリング(dithering)又はノイジング(noising)の技術により、この小さい数の階調を補うことが可能になる。“ディザリング(dithering)”技術の原理は、それぞれの表示不可能な階調を表示可能な階調の組み合わせに分解することにあり、その表示可能な階調は、時間的結合(その階調がいくつかの連続的な画像で表示される)又は空間的結合(その階調が関連した画素を含む画像の領域に表示される)を通じて、求められる表示不可能な階調に近い階調を画面上に復元する。
【００１４】
この増分符号化を実装するデジタル表示装置が図３に表される。この装置は、増分符号化モジュール10と、ビデオレベルのストリームをバイナリプレーンに変換するためのモジュール11と、画像メモリ12と、アドレッシング機構13を備えたDMDマトリクス14とを有する。増分符号化モジュール10は、モジュール10により受信されたビデオレベルにランダムな値を加えるためのディザリング(dithering)回路100と、その後にビデオデータのビデオレベルの値の数を制限するための量子化回路110とを有する。この２つの回路は、実際に“ディザリング(dithering)”技術を実装することを目的とする。誤差ブロードキャスト回路(error  broadcasting  circuit)100に実装されたアルゴリズムは、例えばFloydとSteinbergのアルゴリズムである。量子化の終わりに、例えば61個の異なるレベルを表示するように、ビデオレベルが例えば6ビットに符号化される(各色の6個の時間セグメントのそれぞれが10個のサブフィールドを有する場合)。このように符号化されたビデオレベルのストリームは、その後に、6ビットで符号化された入力ビデオレベルとして受信し、60ビット(セグメント毎に10ビット(すなわちサブフィールド毎に1ビット))で符号化された出力ビデオレベルとして配信するLUTテーブルとして定められ得るモジュール11により処理される。その60ビットのそれぞれはバイナリプレーンを参照し、各バイナリプレーンはサブフィールドの間のビデオ画像の画素のセット(又はマトリクス14のセル)の状態を定める。バイナリプレーンの1ビットは、例えばオン状態の画像の画素(又は活動状態のマイクロミラー)に対応し、0ビットは、オフ状態の画像の画素(又は非活動状態のマイクロミラー)に対応する。バイナリプレーンは、画像メモリ12に別々に格納される。そのバイナリプレーンは、ビデオ画像を表示するために、DMDマトリクス14のアドレッシング機構13により使用される。
【課題を解決するための手段】
【００１５】
本発明は、前記装置の画像メモリにビデオ画像を格納するその他の方法を提案する。
【００１６】
本発明によると、サブフィールド毎に、状態を変化させる画素を特定する情報が、ビデオレベルを格納するのではなく、画像メモリに格納されることが提案される。
【００１７】
また、本発明は、少なくとも２つの別個の同一時間セグメント内に分配された複数の連続的なサブフィールドを有するビデオフレームの間に、ビデオ画像を表示する役割をするデジタル表示装置に関するものであり、ビデオ画像の各画素は、前記ビデオフレームの各サブフィールドの間にオン状態又はオフ状態を選択的にとることができ、前記装置は、
-前記ビデオ画像の画素を表示するための基本セルのマトリクスと、
-前記基本セルのマトリクスによるその表示の前に、前記ビデオ画像を格納するための画像メモリとを有し、
前記ビデオ画像の画素は、各時間セグメントの間に多くとも一度だけ状態を変化させ、表示されるビデオ画像は、サブフィールド毎に、状態を変化させる画素を特定する情報の形式で前記画像メモリに格納されることを特徴とする。
【００１８】
N個のサブフィールドを有するビデオフレームにおいて、画像メモリは、例えばそれぞれサブフィールドに関連するN個のメモリ領域を有しており、各メモリ領域は、それに関連するサブフィールドの間に状態を変化させるビデオ画像の画素の座標を格納する。
【００１９】
各時間セグメントが同位に構成されたP個のサブフィールドを有する場合、且つビデオ画像の各画素が前記少なくとも２つの時間セグメントにおける同位のサブフィールドの間に状態を変化させる場合、有利には画像メモリはP個のメモリ領域を有しており、それぞれがP個のサブフィールドのうちの１つに関連し、関連するサブフィールドの間に状態を変化させるビデオ画像の画素の座標を格納する。前記画像メモリの各メモリ領域は、ビデオ画像を表示するために、時間セグメント毎に１度だけ読み取られる。
【発明を実施するための最良の形態】
【００２０】
本発明の他の特徴と利点が、添付図面を参照して提供される以下の詳細な説明を読むことにより明らかになる。
【００２１】
本発明によると、サブフィールド毎に、状態を変化させる画素を特定する情報が、ビデオレベルを格納する代わりに、画像メモリに格納されることが考えられる。従って、この画像メモリは、ビデオフレームの時間セグメントの間に状態を変化させるビデオ画像の画素に関係する情報のみを格納する。
【００２２】
画像メモリは、18個の時間セグメント(色毎に6個)にサブフィールドが存在するほど多数のメモリ領域に分割される。各メモリ領域はサブフィールドに関連し、そのサブフィールドの開始時に状態を変化させる画像の画素の行と列の座標を格納する。
【００２３】
本発明による画像メモリの内容が図４に示されている。メモリは複数のメモリ領域Zi(i∈[1...N])を有しており、Nはビデオフレームのサブフィールドの総数に等しい。各領域Ziは、関連するサブフィールドの間に状態を変化させる画素の行と列の座標を有する。この例では、マトリクスの行1・列10の画素が第１のサブフィールドの間に状態を変化させる。同様のことが行1・列11の画素に当てはまる。
【００２４】
メモリ領域Ziの大きさは固定され得る。768×1024画素からなる画像を検討すると、画素の座標は20ビット(行の位置用に10ビットと列の位置用に10ビット)に更に符号化されるため、1024×768×20=15.7メガビットに等しい大きさを有するメモリ領域を想定する必要がある。画像が60個のサブフィールド(時間セグメント毎に10個のサブフィールド)で表示される場合、３つの色(RとGとB)のそれぞれについて、画像メモリに必要な全ての大きさは、1024×768×60×3=2.8ギガビットに等しくなる。
【００２５】
図５は、本発明によるデジタル画像装置の第１の機能ブロック図を示したものであり、画像メモリ12の領域Ziの大きさが固定されている。図３に既に提示された図５の要素は、２つの図面で同じ参照番号を有する。
【００２６】
この装置は、図３のものに基づく増分符号化モジュール10を有する。モジュール10は、入力としてビデオレベルを受信し、出力として増分符号化されたビデオレベルを配信する(画素は時間セグメントの間に多くとも一度だけ状態を変化させる)。
【００２７】
増分符号化モジュール10から生じるビデオレベルは、その後に、ビデオレベルのストリームにおける画像の(ビデオレベルによって表される)画素毎に、前記ストリームにおけるその位置の関数としてその行と列の座標を生成し、画像メモリに記録する少なくとも１つのアドレスを定めることを担う計算モジュール20に供給される。ビデオフレームのいくつかの時間セグメントの間に関連する画素が状態を変化させると、画素の座標はメモリに数回記録される。時間セグメント毎に所定の画素Pの座標を記録するアドレスを計算するために、モジュール20は、画素Pが状態を変化させる間にサブフィールドを決定し(このサブフィールドは画素Pのビデオレベルに依存する)、そのサブフィールドに関連するメモリ領域で未使用のアドレスを選択する。
【００２８】
例えば、画素Pが第１の時間セグメントの第３のサブフィールドの間に状態を変化させるビデオストリームの第３の画素である場合、モジュール20は、そのサブフィールドに関連するメモリ領域において、領域の第３のメモリ位置に対応するアドレスをそれに追加する。
【００２９】
関連するビデオフレームの間に状態を変化させる画素の座標は、モジュール20により決定されたアドレスに画像メモリ12でこのように記録される。
【００３０】
画像メモリ12は、高速RAMメモリ(例えばSDRAM)である。サブフィールド毎に読取バッファ回路21にバイナリプレーンを構成するように、それが領域毎に読み取られる。読取バッファ回路21は、サブフィールド毎に、関連するサブフィールドに関連するメモリ領域に記録された画素の座標からバイナリプレーンを作る。回路21は、例えば読み取られるメモリ領域に座標があるバイナリプレーンのビットを1に設定する。バイナリプレーンの他のビットは状態を変化させない。留意すべき点は、この場合には時間セグメントの開始時にバイナリプレーンの全てのビットがゼロである点である。
【００３１】
多様な時間セグメントの多様なサブフィールドのビットプレーンは、ビデオ画像を表示するために、DMDマトリクス14のアドレッシング機構13にその後に供給される。
【００３２】
減少した大きさの画像メモリ12で装置を動作することが可能である。このため、画素の座標を画像メモリ12に記録する前に、画像メモリ12の各領域に記録される画素の数を決定する必要がある。次に、そのそれぞれに必要なメモリの大きさを決定することが可能になる。この実施例が図６により示される。ビデオストリームの画素の座標が画像メモリに多くとも6回だけ(時間セグメント毎に一度)記録されることを考えると、この実施例を実施するために必要な画像メモリは、6×20×1024×768×3=283.1メガビットに等しい。
【００３３】
この実施例では、ビデオレベル30の発生を計算するためのモジュール30が、増分符号化モジュール10と、画素の座標及びメモリアドレスを生成するためのモジュール20との間に挿入される。モジュール30は、ビデオフレームの間に受信されたデータのストリームにおける各ビデオレベルの発生の数を計算することを担う。発生の数は、サブフィールド毎に状態を変化させる画素の数を計算し、それから各領域のメモリの大きさを推論するために、モジュール20で使用される。留意すべき点は、異なるビデオレベルを有する画素が、所定の時間セグメントの同じサブフィールドの開始時に状態を変化させることがあるという点である(その他の6個の時間セグメントのうちの少なくとも１つで異なるサブフィールドを切り替える)。従って、各メモリ領域は、同じビデオレベルを有さない画素の座標を入れることがある。次にモジュール20は、その多様なビデオレベルの発生の数を合計し、メモリ領域の大きさを決定する。
【００３４】
更に、増分符号化モジュール10から生じるビデオレベルのストリームは、依然として計算モジュール20に供給されるが、遅延ビデオフレームで供給される。この遅延は、モジュール10とモジュール20との間に設置された遅延モジュール31によりもたらされる。モジュール10によるビデオデータ出力は１フレームだけ遅延する必要があり、それによりモジュール20により受信される発声の数が、それが受信するビデオデータに対応する。
【００３５】
モジュール20でのメモリアドレスの計算について、図６の装置は以下の方法で動作する。領域Z1がアドレス0000で始まり、且つ領域Z1に関連するサブフィールドの開始時に変化する16個の画素が存在する場合、その16個の画素の座標は、ビデオストリームにおけるその発生順にメモリ12の最初の16個のアドレスに記録され、領域Z2は画像メモリの第17アドレスで始まる。
【００３６】
画像メモリ12の帯域を制限するために、ビデオフレームの6個の時間セグメントは、有利には画素毎にビデオ情報の同じアイテムを有する(ビデオレベルが6個の時間セグメントに均一に分配される)。各画素は、6個の時間セグメントの同じサブフィールドの間に状態を変化させる。画素の座標は、ビデオフレームの間に画像メモリに一度だけ書き込まれ、６回(時間セグメント毎に１回)読み取られ得る。この実施例では、画像メモリ12はP個のみのメモリ領域を有しており、Pは３色の時間セグメント毎のサブフィールドの数である。
【００３７】
画像メモリ12を読み取る動作に必要な帯域は、次に等しい。
BPread=セグメント数
×位置ビット数
×画素数
×毎秒のフレーム数
×色数
=6×20×768×1024×50×3
=14.14Gbit/s
書き込み動作については、６倍小さく、すなわち以下になる。
BPwrite=BPread/6
=2.36Gbit/s
すなわち、全帯域BPtotalは16.5Gbit/sに等しい。
【００３８】
この値は非常に大きいが、更に減少され得る。具体的には、全ての画素について行と列の座標が書き込まれる必要がない。統計上は、画像が多数の異なるビデオレベルを有する場合でも、同じビデオレベルを有する行毎のいくつかの画素が存在する高い確率がある。従って、行の座標が一回のみメモリ領域に書き込まれ、同じビデオレベルを有するその行の画素の列の座標が以下の例のようにまとめられることが提案される。
【００３９】
行1:列20/列21/列22/
768個の行の位置がメモリの60個の領域に書き込まれる場合、次のことが得られる。
BPread=768×10×60×50×3
+1024×768×10×6×50×3
=7.14Gbit/s
BPwrite=1.19Gbit/s
すなわち、全帯域BPtotalは10.3Gbit/sに等しい。
【００４０】
可能なビデオレベルの数、又は時間セグメント毎のサブフィールドの数で実施し、更に帯域を減少させることも考えられる。
【００４１】
更に、画像メモリの領域に関連するサブフィールドの持続時間は、有利にはいわゆる逆ガンマ補正曲線により定められる。逆ガンマ補正は、線形デジタル表示装置の画面上に画像が正確に表示されるように、カメラからの画像に適用される補正を示す。具体的には、陰極線管と対照的に、入力(元の画像)のビデオレベルと、デジタル表示装置の出力のビデオレベルとの比率は、一般的に線形である。次に、ガンマ補正がカメラのレベルで供給元の画像で実行されることを考えると、画面上で画像の正確な表示を得るために、逆ガンマ補正がカメラからの画像に適用されなければならない。従って、この逆ガンマ補正は、画像メモリの多様な領域に関連するサブフィールドの持続時間で動作することにより、実装される。
【００４２】
逆ガンマ補正曲線の形状が図７に示される。
【図面の簡単な説明】
【００４３】
【図１】パルス幅変調(PWM)を備えたデジタル表示装置用のビデオフレーム内のサブフィールドの例示的な配置を表したものである。
【図２】DMDマトリクスを備えたデジタル表示装置によるカラー画像表示用の従来のビデオフレームを表したものであり、前記ビデオフレームが色毎に6個の時間セグメントを有する。
【図３】先行技術のDMDマトリクスを備えたデジタル表示装置の機能図を表したものである。
【図４】本発明によるデジタル表示装置の画像メモリの内容を示したものである。
【図５】本発明によるDMDマトリクスを備えたデジタル表示装置の第１の機能図を表したものである。
【図６】本発明によるDMDマトリクスを備えたデジタル表示装置の第２の機能図を表したものである。
【図７】逆ガンマ補正曲線を示したものである。
【図１】
2005521105.tif 000003
【図２】
2005521105.tif 000004
【図３】
2005521105.tif 000005
【図４】
2005521105.tif 000006
【図５】
2005521105.tif 000007
【図６】
2005521105.tif 000008
【図７】
2005521105.tif 000009
【国際調査報告】
2005521105.tif 000010
2005521105.tif 000011
2005521105.tif 000012
2005521105.tif 000013
2005521105.tif 000014
2005521105.tif 000015